(57)【要約】【課題】接触不良を発生せずノイズ遮蔽に優れた電子機器筐体を提供する。【解決手段】電子機器筐体の蓋部材１が基台部材３に外嵌し、蓋部材１に設けた通風口４において、クリップ部材５を蓋部材１の嵌合部１ａと基台部材３の嵌合部３ａとを挟持するように嵌合することにより蓋部材１と基台部材３とを接合する。【選択図】  図１
2004281718.tif 000002
【特許請求の範囲】
【請求項１】
箱状の第１部材と第２部材とを有し、第１部材を第２部材に嵌め込むように、第１部材を第２部材より大きい形状に構成し、第２部材内には電子回路が構成されたプリント基板を配設した電子機器筐体において、
第１部材には複数個のスリット状の通風口を形成し、その通風口からクリップ部材を差し込んで、第１部材と第２部材とを挟持するとともに電気的な導通状態を可能にしたことを特徴とする電子機器筐体。
【請求項２】
前記第１部材と第２部材との嵌め込み部位の第２部材内側面にノイズフィルタを配置して、そのノイズフィルタの筐体接地端子を第２部材に導通状態に設置するとともに、ノイズフィルタを第１部材の通風口から差し込まれるクリップ部材で挟持するようにしたことを特徴とする請求項１に記載の電子機器筐体。
【発明の詳細な説明】
【０００１】
【発明の属する技術分野】
本発明は、電子機器筐体の組み立て、ノイズフィルタの取付等、ノイズ遮蔽効果、ノイズ除去効果を有する電子機器筐体に関するものである。
【０００２】
【従来の技術】
制御装置やネットワーク装置等に用いる電子機器筐体の組み立て、ノイズフィルタの取り付けにおいてはノイズ遮蔽、ノイズ除去の点から筐体の各部材同士、またはノイズフィルタと被取付体との密着度が十分であることが望まれる。
【０００３】
図５はスイッチングハブに用いる電子機器筐体の分解斜視図である。前記筐体は大きく分けて３つの筐体部品で構成される。まず、基台部材３の嵌合部３ａと蓋部材１の嵌合部１ａとを嵌合させネジ止めする。その後、前記基台部材３と蓋部材１との結合体の開口部にフロントパネル２を嵌合させネジ止めし、筐体の組み立てが完成する。
【０００４】
図６はノイズフィルタの斜視図である。ノイズフィルタは長方体状本体１２と、四角柱状本体１２の底辺から突出しネジ穴１５を有する三角形状の筐体接地端子１１とから構成される。筐体接地端子１１のネジ穴１５と、図外の筐体の接合部が有するネジ穴とが向かい合さるように前記筐体接地端子１１と前記筐体の接合部とを重置し、ネジ止めしてノイズフィルタと筐体との接合が完成する。図６に示すノイズフィルタは接地線を持たず、ノイズフィルタの筐体接地端子１１と筐体の接合部とが接することにより接地を取っている。
【０００５】
また、製造工程数の減少、修理等のメンテナンス性、コスト性を向上させる目的で、ネジ止め、半田付け、導電性接着剤等に代わる筐体の組み立て方法により組み立てられた電子機器筐体が開示されている（例えば、特許文献１参照。）。図１０に特許文献１に記載の筐体の構成図を示す。蓋部材の嵌合部の曲げ角度Ａを９０度以下とし、基台部材の嵌合部の寸法Ｌ１と、蓋部材の嵌合部下側の寸法Ｌ２と、蓋部材の接合部上側の寸法Ｌ３とをＬ２≧Ｌ１≧Ｌ３に設定し、蓋部材と基台部材とが確実に密着され、容易に脱着ができる構成となっている。
【０００６】
【特許文献１】
特開平１０−２８４８５３号公報
【０００７】
【発明が解決しようとする課題】
図７は筐体の蓋部材１と基台部材３とのネジ止めを示す概略図である。図７に示すように、ネジ１３で強く締めるとネジ１３周辺に圧力が集中するため、各部材の両端に間隙が生じてしまい接触不良によりノイズの原因となる。
【０００８】
図８はノイズフィルタの筐体接地端子１１と筐体の接合部１０とのネジ止めを示す概略図である。図８に示すように、ネジ１３で強く締めるとネジ１３周辺に圧力が集中するため、各部材の両端に間隙が生じてしまい接触不良によりノイズフィルタの効果が十分発揮されない恐れがある。
【０００９】
図９は、ネジ止めを多く用いて前記部材の接合を行った場合の概略図である。
図９に示すように、Ｘの間隔を狭くしてネジ止めを行うことにより前記間隙の発生はある程度改善される。しかし、ネジ止めの数を増やすことになるため、作業の複雑化、コストの上昇等を招く。またネジ１３を多く使用することはノイズ発生の原因となる。
【００１０】
また、ノイズフィルタの筐体接地端子１１と筐体の接合部１０とのネジ止めに関しては、各接合部の汚れを取る、筐体接地端子１１を平アミ線で接続するという改善方法が考えられる。しかし、各接合部の汚れを取ることで導電性はよくなるが、前記問題の根本的な解決には至らない。そして、筐体接地端子１１を平アミ線で接続するという改善方法は、確実にＧＮＤが取れ、導電性のよい平アミ線を用いることでインピーダンスの面で有効であるが、コスト的な問題や、絶縁被覆がないという問題がある。
【００１１】
さらに、図１０に示した筐体では、着脱の繰り返しにより蓋部材の嵌合部の曲げ角度Ａが広げられ、密着性、接合性が低下してしまい、蓋部材を取り替えにかかるコスト、時間、作業効率の面で問題がある。
【００１２】
本発明は、かかる事情に鑑みなされたもので、その目的は、上記の課題を解決した電子機器筐体を提供することにある。
【００１３】
【課題を解決するための手段】
前記課題を解決するために、本発明は以下のことを特徴とする。
【００１４】
請求項１に記載の電子機器筐体は、箱状の第１部材と第２部材とを有し、第１部材を第２部材に嵌め込むように、第１部材を第２部材より大きい形状に構成し、第２部材内には電子回路が構成されたプリント基板を配設した電子機器筐体において、第１部材には複数個のスリット状の通風口を形成し、その通風口からクリップ部材を差し込んで、第１部材と第２部材とを挟持するとともに電気的な導通状態を可能にしたことを特徴とする。
【００１５】
請求項２に記載の電子機器筐体は、請求項１に記載の電子機器筐体において前記第１部材と第２部材との嵌め込み部位の第２部材内側面にノイズフィルタを配置して、そのノイズフィルタの筐体接地端子を第２部材に導通状態に設置するとともに、ノイズフィルタを第１部材の通風口から差し込まれるクリップ部材で挟持するようにしたことを特徴とするのことを特徴とする。
【００１６】
【発明の実施の形態】
以下、本発明の実施の形態について述べる。
【００１７】
（第１実施の形態）
図１Ａは本発明の第１実施の形態に用いる筐体の蓋部材の斜視図、図１ＢはＹ方視断面図、図１Ｃはクリップ部材の構成図である。第１部材である蓋部材１は矩形状の平板の一辺を残して、残りの三辺をほぼ直角に下方に折曲させて、嵌合部１ａとなる折曲部を構成し、その折曲部にそって平板上面に複数個のスリット状の通風口４が穿設される。
【００１８】
また、第２部材である基台部材３も蓋部材１と同様に平面の一辺を残して、残りの三辺をほぼ直角に上方に折曲させて嵌合部３ａとなる折曲部が構成される。なお、基台３の嵌合部３ａは蓋部材１の嵌合部１ａに嵌め込み可能となるように構成される。
【００１９】
上記のように蓋部材１、基台部材３が形成され、蓋部材１の嵌合部１ａが基台部材３の嵌合部３ａに図２Ｂに示すように嵌め込まれた後に、図１Ｃに示すクリップ部材５を前記通風口４から挿入して上記嵌合部１ａ、３ａをクリップ部材５により挟持する。
【００２０】
クリップ部材５は図１Ｃに示すように逆Ｕ字形状に形成され、開口部５ａと連結部５ｂとの間隔は図示のように、開口部５ａが連結部５ｂより狭くなるように構成されている。従って、通風口４から嵌合部１ａ、３ａを挟持する際、挟持力が強くなる。
【００２１】
このような構成にすることで、図７に示したような蓋部材１の嵌合部１ａと基台部材３の嵌合部３ａとの間の接触不良が生じず、蓋部材１の嵌合部１ａと基台部材３の嵌合部３ａとを密着させることができ、ノイズの発生をおさえることができる。また、ネジ止めにより組み立てた場合と比べ組み立て効率が向上し、ネジによるノイズの影響がなくなる。
【００２２】
また脱着によりクリップ部材５の底面と側面とが成す角度が広げられ挟持不可能になった場合でも、クリップ部材５のみを取り替えればよく、図１０に示した筐体は蓋部材を取り替えなければならないことを考えるとコスト的、時間的、作業効率的に有利である。
【００２３】
なお、クリップ部材５は蓋部材１の嵌合部１ａと基台部材３の嵌合部３ａとを挟持するように嵌合できる構成のものであれば、図１Ｃに示す形状でなくともよい。
【００２４】
（第２実施の形態）
図２Ａは本発明の第２実施の形態に用いる筐体の蓋部材の斜視図、図２Ｂはクリップ部材の構成図である。第２実施の形態は、第１実施の形態の一部を変更したもので、図２に示すように蓋部材１の通風口４のスリットの長さｂ値とクリップ部材５の連結部の長さａ値とを長くした（ただし、ａ＜ｂ）構成とした。
【００２５】
このような構成にすることで、組み立てに用いるクリップ部材５の数が少なくなりコストの面、作業の簡単さの面で有利になり組み立て効率がより向上する。
また、クリップ部材５により挟持する蓋部材１の嵌合部１ａと基台部材３の嵌合部３ａとの接触面積が大きくなり、蓋部材１の嵌合部１ａと基台部材３の嵌合部３ａとの密着もより向上し、ノイズの発生をおさえることができる。
【００２６】
なお、クリップ部材５は蓋部材１の嵌合部１ａと基台部材３の嵌合部３ａとを挟持するように嵌合できるものであれば、図２Ｂに示す形状でなくともよい。
【００２７】
（第３実施の形態）
図３Ａは本発明の第３実施の形態を示す構成図、図３ＢはＹ方視断面図である。第３実施の形態は第１、２実施の形態の筐体内部にノイズフィルタを取り付けたものである。図３Ａに示すようにノイズフィルタは長方体状本体１２と、長方体状本体１２の底辺から突出する四角形状の筐体接地端子１１とから構成される。前記ノイズフィルタを筐体内の基台部材３の嵌合部３ａの内側に配置する。図３Ｂに示すようにノイズフィルタの位置は基台部材３が蓋部材１と嵌合した時に筐体接地端子１１が通風口４の下部に位置し蓋部材１の嵌合部１ａと基台部材３の嵌合部３ａと一体にクリップ部材５で挟持される位置とし、第１、２実施の形態と同様に筐体を組み立てる。
【００２８】
なお、ノイズフィルタの長方体状本体１２と筐体接地端子１１とは上記形状に限定されず、長方体状本体１２は前記位置に収まり筐体接地端子１１を一体にできる形状であればよく、筐体接地端子１１は蓋部材１の嵌合部１ａと基台部材３の嵌合部３ａと一体にクリップ部材５で挟持される形状であればよい。
【００２９】
このような構成にすることでノイズフィルタの筐体接地端子１１と基台部材３の嵌合部３ａとの間に接触不良が生じず、ノイズフィルタの筐体接地端子１１と基台部材３の嵌合部３ａとを密着させることができ、ノイズの発生をおさえることができる。また、ネジ止めにより組み立てた場合と比べ組み立て効率が向上し、ネジによるノイズの影響がなくなる。
【００３０】
（第４実施の形態）
図４Ａは本発明の第３実施の形態を示す構成図、図４ＢはＹ方視断面図である。第４実施の形態は第３実施の形態において、ノイズフィルタの形状を変形させたものである。図４Ａに示すようにノイズフィルタは長方体状本体１２と長方体状本体１２の底面に配設した筐体接地端子１１とから構成される。前記ノイズフィルタを筐体内部の基台部材３の嵌合部３ａの内側に配置する。図４Ｂに示すようにノイズフィルタの位置は基台部材３が蓋部材１と嵌合した時に長方体状本体１２が通風口４の下部に位置し蓋部材１の嵌合部１ａと基台部材３の嵌合部３ａと一体にクリップ部材５で挟持される位置とし、第１〜３実施の形態と同様に筐体を組み立てる。
【００３１】
なお、長方体状本体１２は上記形状に限定されず、蓋部材１の嵌合部１ａと基台部材３の嵌合部３ａと一体にクリップ部材５で挟持される形状であればよい。
【００３２】
このような構成にすることでノイズフィルタの筐体接地端子１１と基台部材３の嵌合部３ａとの間に接触不良が生じず、ノイズフィルタの筐体接地端子１１と基台部材３の嵌合部３ａとを密着させることができ、ノイズの発生をおさえることができる。また、ネジ止めにより組み立てた場合と比べ組み立て効率が向上し、ネジによるノイズの影響がなくなる。
【００３３】
また、第１〜４実施の形態において、接合部の各部材の接着面に導電性接着剤を塗布することでノイズ遮蔽、ノイズ除去においてはより有利となる。取り外しを容易に行いたい場合は接着剤は用いない方がよい。
【００３４】
【発明の効果】
以上の説明から明らかなように、本発明は以下の効果を奏する。
【００３５】
（１）蓋部材の嵌合部と基台部材の嵌合部との間に接触不良が生じず、蓋部材の嵌合部と基台部材の嵌合部とを密着させることができ、ノイズの発生をおさえることができる。また、ネジ止めにより組み立てた場合と比べ組み立て効率が向上し解体も容易であり、ネジによるノイズの影響がなくなる。また脱着によりクリップ部材の底面と側面とが成す角度が広げられ挟持不可能になった場合でも、クリップ部材のみを取り替えればよく、蓋部材を取り替えなければならない場合と比べるとコスト的、時間的、作業効率的に有利である。
【００３６】
（２）筐体の接合部と筐体接地端子との間に接触不良が生じず接合部の接触面積が増大し、導電性が向上し確実にＧＮＤを確保できノイズの発生をおさえることができる。また、ネジ止めにより組み立てた場合と比べ組み立て効率が向上し解体も容易であり、ネジによるノイズの影響がなくなる。
【図面の簡単な説明】
【図１】本発明の第１実施の形態に用いる筐体の蓋部材の斜視図、Ｙ方視断面図、およびクリップ部材の構成図。
【図２】本発明の第２実施の形態に用いる筐体の蓋部材の斜視図、およびクリップ部材の構成図。
【図３】本発明の第３実施の形態を示す構成図、およびＹ方視断面図。
【図４】本発明の第４実施の形態を示す構成図、およびＹ方視断面図。
【図５】スイッチングハブの筐体の分解斜視図。
【図６】ノイズフィルタの斜視図。
【図７】筐体の蓋部材と基台部材とのネジ止めを示す概略図。
【図８】筐体接地端子と筐体の接合部とのネジ止めを示す概略図。
【図９】ネジ止めを多く用いて接合を行う概略図。
【図１０】従来例の筐体の構成図。
【符号の説明】
１…蓋部材
１ａ…蓋部材の嵌合部
２…フロントパネル
３…基台部材
３ａ…基台部材の嵌合部
４…通風口
５…クリップ部材
５ａ…開口部
５ｂ…連結部
１０…筐体の接合部
１１…筐体接地端子
１２…ノイズフィルタの長方体状本体
１３…ネジ
１４…ナット
１５…ネジ穴
【図１】
2004281718.tif 000003
【図２】
2004281718.tif 000004
【図３】
2004281718.tif 000005
【図４】
2004281718.tif 000006
【図５】
2004281718.tif 000007
【図６】
2004281718.tif 000008
【図７】
2004281718.tif 000009
【図８】
2004281718.tif 000010
【図９】
2004281718.tif 000011
【図１０】
2004281718.tif 000012